【手続補正書】
【提出日】平成15年6月19日(2003.6.19)
【手続補正１】
【補正対象書類名】明細書
【補正対象項目名】全文
【補正方法】変更
【補正の内容】
【書類名】明細書
【発明の名称】短距離用ＲＦ通信方法
【特許請求の範囲】
【請求項１】短距離用ＲＦネットワークのアクセス・ポイント（２０）と上記短距離用ＲＦネットワークのユーザ端末装置（１０）との間における通信方法において、
上記ユーザ端末装置（１０）との接続の確立に関係する情報を通信するための、上記ユーザ端末装置（１０）とのアクセス通信用の第１の短距離用ＲＦ送受信装置（１０４）をアクセス・ポイントで使用するステップと、
ユーザデータを上記ユーザ端末装置と通信するための、ユーザデータ通信用の第２の短距離用ＲＦ送受信装置（１０６）を上記アクセス・ポイントで使用するステップと、を有することを特徴とする方法。
【請求項２】請求項１に記載の方法において、上記第２の送受信装置とユーザデータを通信する前に、上記第１の送受信装置（１０４）から上記第２の送受信装置（１０６）へ上記接続の確立に関係する情報を転送するステップを有することを特徴とする方法。
【請求項３】請求項２に記載の方法において、上記第１と上記第２の送受信装置間で通信バスを確立し、前記通信バスを介して上記接続の確立に関係する情報を転送するステップを有することを特徴とする方法。
【請求項４】請求項２または３に記載の方法において、上記接続の確立に関係する情報が上記ユーザ端末装置（１０）の識別情報を含むことを特徴とする方法。
【請求項５】短距離用ＲＦネットワークのアクセス・ポイント（２０）と短距離用ＲＦネットワークのユーザ端末装置（１０）とを有する短距離用ＲＦ通信システムにおいて、
上記ユーザ端末装置（１０）との接続の確立に関係する情報を通信するための、上記ユーザ端末装置（１０）とのアクセス通信を行うための第１の短距離用ＲＦ送受信装置（１０４）と、
ユーザデータを上記ユーザ端末装置（１０）と通信するための第２の短距離用ＲＦ送受信装置（１０６）と、を有することを特徴とするシステム。
【請求項６】請求項５に記載の通信システムにおいて、
ユーザデータを上記第２の送受信装置と通信する前に、上記第１の送受信装置（１０４）から上記第２の送受信装置（１０６）へ上記接続の確立に関する情報を転送する手段（１２０）を有することを特徴とするシステム。
【請求項７】請求項６に記載の通信システムにおいて、
上記第１の送受信装置（１０４）から上記第２の送受信装置（１０６）へ上記接続の確立に関係する情報を転送するための、上記第１と上記第２の送受信装置間の通信バス（１２０）を有することを特徴とするシステム。
【請求項８】請求項５に記載の通信システムにおいて、上記接続の確立に関する情報が上記ユーザ端末装置（１０）の識別情報を含むことを特徴とするシステム。
【請求項９】ユーザ端末装置との短距離用ＲＦ通信用装置において、
ユーザ端末装置（１０）との接続の確立に関係する情報を通信するための、ユーザ端末装置（１０）とのアクセス通信用の第１の短距離用ＲＦ送受信装置（１０４）と、
ユーザデータをユーザ端末装置（１０）と通信するための、ユーザデータ通信用の第２の短距離用ＲＦ送受信装置（１０６）と、を有することを特徴とする装置。
【請求項１０】請求項９に記載の装置であって、短距離用ＲＦ通信システムのアクセス・ポイントであることを特徴とする装置。
【発明の詳細な説明】
【０００１】
発明の背景
技術分野
本発明は通信の分野に関し、さらに正確には、送受信装置間での短距離用ＲＦ通信の分野に関する。
【０００２】
関連技術の記載
最近、短距離用通信リンクを介する複数の送受信装置間での通信を提供する低消費電力ＲＦシステムが提案されている。このような１つの短距離用ＲＦ技術の開発が現在進められており、この技術は“ブルートゥース”と呼ばれている。本システムは近い将来市販されるシステムであり、２.４５ＧＨｚ周辺のオープンスペクトルで動作する。認可を必要としないこの無線帯域は、産業用、科学用、医療用（ＩＳＭ）帯域と呼ばれ、グローバルに利用可能なものである。このＲＦシステムの動作範囲は、通常の電力モードの場合およそ１０メートルであり、経済的に見て効率が良いことが証明されている。上記特性を有するブルートゥースチップをあらゆる種類の電気機器に挿入して離れたデバイス間で通信を可能にする計画が進められている。刊行物ＷＯ００／１８０２５号には、ブルートゥース互換移動端末装置と、ＰＣのようなブルートゥース互換データ端末装置間でのこのようなブルートゥース・リンクが開示されている。
【０００３】
ブルートゥース技術は比較的狭い帯域幅しか利用できないという問題点を抱え、このことは、非常に低コストの実施構成を保証するために行われた技術上の選択の避けがたい欠点である。したがって、ブルートゥース技術が実際に利用できないレベルより低くならないように、この制限された帯域幅の利用構成を組み立てることが非常に重要となる。この利用構成は、特に、いくつかのクライアント端末装置が単一サービスプロバイダの端末装置（通常固定）と接続されるポイント・ツウ・マルチポイント通信パターンにとってきわめて重要である。ブルートゥース仕様に記載のブルートゥース規格にはこの帯域幅減少の問題に対する解決方法は何も示されていない。いくつかのページすべきデバイスが存在する場合、ページング・プロトコルが、かなりの部分の利用可能な帯域幅を利用し、クライアント用装置と固定デバイス間での転送用として利用可能な帯域幅が減少する。この帯域幅の減少により、ブルートゥース・リンクにおけるデータ転送速度が低速となり、ブルートゥース・リンクをさらに非効率的なものにする。
【０００４】
本出願人は、２０００年７月１１日出願の米国特許出願番号第０９／６１４，５０８号も所有している。この米国特許出願には、ブルートゥースネットワークを形成する別のアクセス・ポイントまたはホスト用として３またはそれ以上のブルートゥース送受信装置モジュールを備えたブルートゥース・ビーコン（アクセス・ポイント）が開示されている。上記は、３つのアクセス・ポイントなどを介してホストと端末装置間でパスを形成するためのものであるが、上記出願はデータ伝送レートに立脚するものではない。
【０００５】
発明の要旨
したがって、制限された帯域幅という上記問題を軽減し、単一端末装置において少なくとも２つの別個のブルートゥース・モジュール（このモジュールの各々は接続に関係する別個の機能に使用される）を利用することにより、リンク情報とサービス情報に対する問合せと検索タスクとを残りのデータ伝送から分離することによって、短距離用接続（好ましくはブルートゥース）におけるデータ転送効率を高めるシステム及び方法を提示することが本発明の目的である。
【０００６】
本発明の第１の態様によれば、短距離用ＲＦネットワークのアクセス・ポイントと短距離用ＲＦネットワークのユーザ端末装置間での通信方法が提供され、該方法は、
ユーザ端末装置との接続の確立に関係する情報を通信するための、ユーザ端末装置とのアクセス通信用の第１の短距離用ＲＦ送受信装置をアクセス・ポイントで使用するステップと、
ユーザデータをユーザ端末装置と通信するための、ユーザデータ通信用の第２の短距離用ＲＦ送受信装置をアクセス・ポイントで使用するステップと、を有する。
【０００７】
本発明の第１の実施形態では、短距離用ＲＦ通信システムのアクセス・ポイントに２つの短距離用ＲＦ送受信装置が設けられる。上記送受信装置では、第１の短距離用送受信装置は、短距離用通信システムのユーザ端末装置との接続の確立に関係する情報を通信するために用いられ、第２の短距離用送受信装置は、ユーザ端末装置間を往来するユーザデータの通信に用いられる。
【０００８】
実際には、第２の送受信装置はユーザデータの通信が開始可能となる前に、接続を確立する必要がある。しかし、第２の送受信装置からのこの接続は非常に迅速に確立することが可能である。なぜなら、接続を行うためのすべての必要な情報（例えば、ブルートゥースでは、ブルートゥース・アドレス、クロック・オフセット、サポートされているサービスに関する情報など）が存在し、第２の送受信装置が接続を確立してユーザデータの通信を開始する前に、上記情報は第１の送受信装置から第２の送受信装置へ転送されるからである。
【０００９】
別の実施形態では、第２の短距離用送受信装置がユーザデータのみの通信専用となり、第１の短距離用送受信装置は接続の終了にも使用される。
【００１０】
さらに別の実施形態では、アクセス・ポイントとユーザ端末装置間での通信は時分割多重通信であり、アクセス・ポイントとユーザ端末装置間での伝送は指定されたタイムスロットでのバースト伝送により行われる。好ましくは、アクセス・ポイントの第１及び第２の短距離用送受信装置が異なる周波数を使用することが望ましい。
【００１１】
接続の確立に関する問合せにより帯域幅、したがって、伝送容量が消費されるため、本発明では、ユーザデータ伝送レートとユーザデータ伝送容量とが一般に増加する。多数のユーザ端末装置がアクセス・ポイントのカバーエリアを出入りし、それにより、従来の解決方法と比較すると、特に、大量の問合せ通信が行われる往来の多い環境でユーザデータ伝送容量が増加する。
【００１２】
少なくとも２つのブルートゥース・モジュールが別個のベースバンド・アドレスを持ち、これらのモジュールの動作は互いに独立している。第１のモジュールは問合せとサービスデータベース専用モジュールであり、該モジュールは発見可能であり、別のブルートゥース互換デバイスと接続可能である。第２のモジュールはユーザデータのトランスポート専用モジュールであり、別のブルートゥース互換デバイスと接続不能である。必要な問合せとサービスプロトコルの実行後、第１のモジュールは第２のブルートゥース・モジュールへ必要な情報を転送し、該第２のブルートゥース・モジュールはこの受信情報を用いて別のブルートゥース互換デバイスを起動することができる。
【００１３】
本発明によれば、第２の端末装置との無線通信が可能な第１の端末装置から信号を伝送する方法が記述され、該方法は、
前記第１の端末装置が少なくとも第１の送受信装置モジュールと、少なくとも第２の送受信装置モジュールとを含むステップと、
第２の端末装置と、第１の端末装置の第１の送受信装置モジュールとの間に第１の通信リンクを確立するステップと、
上記第１の端末装置の上記第１の送受信装置モジュールと、第２の送受信装置モジュールとの間の通信バスであって、上記第２の端末装置と、上記第１の端末装置の上記第１の送受信装置モジュールとの間で第１の通信から情報を転送するための通信バスと、
第１の送受信装置モジュールから受信した情報によりそれぞれ識別される、第２の送受信装置モジュールと第２の端末装置間で第２の通信リンクを確立するステップと、を有する。
【００１４】
さらに、本発明の実施形態によれば、第１及び第２の送受信装置モジュールは所定の機能を有する。上記第１の送受信装置モジュールは問合せを行い、上記端末装置から上記第２の送受信装置へ情報を転送して、第１の端末装置が上記端末装置の第２の送受信装置モジュールから第２の端末装置とコンタクトできるようにデータを第２の端末装置へ転送するようにする。上記方法によって、ノード間でのデータ転送効率を高めることが可能となる。
【００１５】
さらに、１実施形態によれば、本発明にはデータ転送効率を高める方法が含まれ、前記方法は、
ユーザ端末装置がアクセス・ポイントに接近するステップを有し、前記端末装置は、アクセス・ポイントの少なくとも１つの送受信装置と通信可能な少なくとも１つの送受信装置を備え；上記ユーザ端末装置を発見し、上記アクセス・ポイントの第１の送受信装置モジュールにより上記アクセス・ポイントのそばの上記ユーザ端末装置を識別し；上記第１の送受信装置モジュールからアクセス・ポイントの第２の送受信装置モジュールへ、前回のステップで収集した情報をそれぞれ転送する上記ユーザ端末装置と、上記アクセス・ポイントの第１の送受信装置モジュールとの間で第１のリンクを確立し；上記ユーザ端末装置と上記第１の送受信装置モジュールとの間の接続を切断し；アクセス・ポイントの第２の送受信装置モジュールとユーザ端末装置との間で第２のリンクを接続し、上記第１の送受信装置モジュールから受信した上記ユーザ端末装置の識別情報を利用し；上記第１の送受信装置モジュールから受信したユーザ端末装置の能力を考慮しながら上記ユーザ端末装置へコンテンツを転送することを特徴とする。
本発明の１実施例においては、その方法は、
第１の送受信機とユーザ端末装置との間の第１の通信リンクを確立し、その第１の通信リンク上でユーザ端末装置との接続の確立に関係する情報を通信するステップと、
第２の送受信装置とユーザ端末装置との間で第２の通信リンクを確立し、その第２の通信リンク上でユーザ端末装置とデータを通信するステップとを備えている。
本発明の１実施例においては、ユーザ端末装置との接続を確立するための情報の通信は問い合わせをするステップを備えている。
本発明の１実施例においては、その方法は、ユーザデータを第２の送受信機とユーザ端末装置との間で通信する前に、第１の送受信機とユーザ端子との間の接続を切断するステップを備えている。
本発明の１実施例においては、その方法は、アクセス・ポイントのカバーエリアに入ったユーザ端末装置を発見するステップと、その後にはじめてユーザ端末装置との接続を確立するための情報についてユーザ端末装置と通信をするためにアクセス・ポイントにおける短距離ＲＦ送受信機を用いるステップとを備える。
本発明の１実施例においては、アクセス・ポイントはコンテンツ・プロバイダに関係しており、その方法は、
アクセス・ポイントを介してコンテンツ・プロバイダのコンテンツをユーザ端末装置に第２の送受信機を用いて転送するステップを備えている。
本発明の１実施例においては、第１及び第２の送受信機は異なるベースバンドアドレスを有している。
本発明の１実施例においては、接続の確立に関係する情報は、ユーザ端末装置のベースバンドアドレスと、アクセス・ポイントとユーザ端末装置との間のクロックにおけるオフセットを通知するクロックオフセット情報と、情報に関してサービスがユーザ端末装置によりサポートされているその情報とを備えている。
本発明の１実施例においては、短距離範囲ＲＦネットワークはブルートゥース標準に従う短距離範囲ＲＦ通信を利用する。
本発明の実施例においては、ユーザ端末装置は、セルラ電話ネットワーク上でも通信可能な移動電話機、パーソナル・ディジタル・アシスタント、ゲームパッド、ブラウザ及びコンピュータの１つである。
本発明の１実施例において、その方法は、
複数のユーザ端末装置とアクセス・ポイントとでアクセス通信およびユーザデータ通信を行うステップと、
アクセス・ポイントでアクセス通信とユーザデータ通信の負荷を検出するステップと、
第１及び第２の送受信機をダイナミックに制御してアクセス通信とユーザデータ通信の１つをそれぞれの通信の検出された負荷に応じて実行するステップとを備えている。
本発明の実施例においては、その方法は、
２つより多い送受信機を用いて、
アクセス・ポイント内のそれぞれの通信の検出された負荷に応じて、アクセス通信を実行する送受信機の数とデータ通信を実行する送受信機の数をダイナミックに制御するステップとを備えている。
本発明の１実施例において、その方法は、
複数のチャネル上で各送受信機が通信をするステップと、
アクセス・ポイントの検出された負荷に応じて、アクセス通信とデータ通信の一方を実行するために第１及び第２の送受信機の各々を使用して送受信機の数をダイナミックに制御するステップとを備えている。
本発明の１実施例において、その方法は、
アクセス・ポイントと通信中のユーザ端末装置の数の増大を検出するステップと、
これに応答して、ユーザデータ通信のためのチャネル数を増大し、アクセス通信に使用されるチャネル数を減少させるステップとを備えている。
本発明の１実施例においては、その方法は、
アクセス・ポイントと通信中のユーザ端末装置の数の増大を検出するステップと、
これに応答して、ユーザデータ通信のための送受信機の数を増大し、アクセス通信に使用される送受信機の数を減少させるステップとを備えている。
本発明の１実施例において、その方法は、
使用中の短距離ＲＦ送受信機のトータル数はアクセス・ポイント内の短距離ＲＦ送受信機のトータル数である。
本発明の１実施例において、第１の送受信機は問い合わせ用及びサービスデータベース要求用に専用であって他の短距離範囲ＲＦ可能装置に発見可能且つ接続可能である。
本発明の１実施例において、第２の送受信機はユーザデータ転送用であって他の短距離範囲ＲＦ可能装置に発見不可能且つ接続不可能である。
本発明の１実施例においては、ダイナミック制御はファジー論理制御に基づいている。
本発明の１実施例においては、この方法は、
ユーザ端末装置の数を検出しアクセス・ポイントカバー領域から離れるステップと、
統計的データの生成の数を用いるステップとを備えている。
本発明の１実施例においては、この方法は、アクセス通信を介して検出を実行するステップを備えている。
本発明の１実施例においては、この方法は、
ある期間内でのアクセス・ポイント内のユーザデータ通信の速度を検出するステップと、
その速度を用いて統計的データを生成するステップとを備えている。
【００１６】
本発明の第２の態様によれば、短距離用ＲＦネットワークのアクセス・ポイントと短距離用ＲＦネットワークのユーザ端末装置とを有する短距離用ＲＦ通信システムが提供される。また、本発明の第３の態様によれば、アクセス・ポイントのような装置が提供される。上記通信システムと装置とは双方共、上記装置またはアクセス・ポイントが、
ユーザ端末装置との接続の確立に関係する情報を通信するための、ユーザ端末装置とのアクセス通信用の第１の短距離用ＲＦ送受信装置と、
ユーザデータをユーザ端末装置と通信するための、ユーザデータ通信用の第２の短距離用ＲＦ送受信装置と、を有することを特徴とする。
【００１７】
さらに、本発明の１実施形態によれば、第１と第２の通信リンクはブルートゥース・リンクなどの無線短距離用ＲＦリンクであり、これによって認可を必要としない帯域幅の利用が可能となる。
【００１８】
さらに、本発明の１実施形態によれば、送受信装置は、別個のベースバンド・アドレスを持つ短距離用送受信装置モジュールであり、これらのモジュールの動作は互いに独立している。したがって、各モジュールの負荷には限度が設けられ、共用される。
【００１９】
さらに、本発明の１実施形態によれば、第１の送受信装置モジュールによる受信情報にはユーザ端末装置のベースバンド・アドレスと、クロック・オフセット情報と、サポートされているサービス情報とが含まれ、これによって、コンテンツを要求した端末装置とのコンタクトに必要な情報の送信が可能となる。
【００２０】
さらに、本発明の１実施形態によれば、ユーザ端末装置は、移動電話機、パーソナル・ディジタル・アシスタント、ゲームパッド及びコンピュータの１つである。
【００２１】
さらに、本発明の１実施形態によれば、データ転送効率を高めるシステムが記述され、前記システムは、ＲＦを介してアクセス・ポイントとの通信が可能なユーザ端末装置と、該ユーザ端末装置を発見する発見手段と、アクセス・ポイントの第１の送受信装置モジュールによりアクセス・ポイントのそばのユーザ端末装置を識別する識別手段と、アクセス・ポイントの上記ユーザ端末装置と第１の送受信装置モジュール間で第１の通信リンクを確立する手段と、第１の送受信装置モジュールと第２の送受信装置モジュール間の通信バスであって、情報を転送するための通信バスと、第１の送受信装置モジュールから受信した情報によりそれぞれ識別される第２の送受信装置モジュールとユーザ端末装置間で第２の通信リンクを確立する手段と、を有する。
【００２２】
さらに、本発明の１実施形態によれば、第２の端末装置と無線通信が可能な第１の端末装置から信号を伝送するシステムが提供され、上記システムは、
少なくとも第１の送受信装置モジュールと、少なくとも第２の送受信装置モジュールとを含む前記第１の端末装置と、
第２の端末装置と、第１の端末装置の第１の送受信装置モジュール間で第１の通信リンクを確立する手段と、
第１の端末装置の第１の送受信装置モジュールと、第２の送受信装置モジュールとの間の通信バスであって、第２の端末装置と、第１の端末装置の第１の送受信装置モジュールとの間の通信から情報を転送するための通信バスと、
第１の送受信装置モジュールから受信した情報によりそれぞれ識別される第２の送受信装置モジュールと第２の端末装置間で第２の通信リンクを確立するする手段と、を有する。
【００２３】
さらに、本発明の１実施形態によれば、上記第１と第２の送受信装置モジュールは別個のベースバンド・アドレスを持ち、互いに独立に動作する。
【００２４】
さらに、本発明の１実施形態によれば、（通信バスを介して）第１及び第２の送受信装置モジュール間で転送された情報には、ユーザ端末装置固有の識別情報が含まれ、この固有の識別情報には、端末装置のベースバンド・アドレス、端末装置のクロック・オフセット情報、端末装置のブルートゥースクラス、端末装置のサポートサービス情報が含まれる。
【００２５】
さらに、本発明の１実施形態によれば、別の端末装置と無線通信を行う装置が提供され、前記装置は、第１の送受信装置モジュールと、第２の送受信装置モジュールと、第１の送受信装置モジュールと第２の送受信装置モジュール間の通信バスと、上記第１の送受信装置及び第２の送受信装置モジュール間の上記別の端末装置とそれぞれリンクの接続と切断とを行う第１と第２のモジュールのスイッチと、を有する。
【００２６】
本発明のさらに別の実施形態によれば、少なくとも２つの短距離用ＲＦ送受信装置ユニットの機能が動的に制御され、いずれのモジュールも、単に、アクセス・ポイントへのアクセスに関係する通信用のみとして厳密に固定されたものではなく、また、ユーザデータの通信用として厳密に固定されたものでもなく、状況に応じて、アクセス・ポイントへのアクセスに関係する通信用として、もしくは、ユーザデータの通信用としてのいずれかの用途でモジュールを利用できるように図られる。少なくとも２つのモジュールを用いて短距離用ＲＦネットワークアクセス・ポイントの処理を行う最適の方法として、本発明に基づく特定用途用モジュールを特製する方法がある。複数の送受信装置モジュールを使用する場合、本実施形態は特に実行可能である。例えば、アクセス・ポイントには５つの送受信装置モジュールが含まれ、これにより、１回のインスタンスにつき１つのモジュールが、アクセス・ポイントにアクセスするユーザ端末装置に関係する通信用として使用され、４つのモジュールがユーザデータの通信用として使用されるが、別例では、アクセス・ポイントにアクセスするユーザ端末装置に関係する通信用として２つのモジュールが使用され、３つのモジュールがユーザデータの通信用として使用される。
【００２７】
特に、メディアへのアクセス（ブルートゥース・ピコネットへのアクセス）に関係する通信と、ユーザデータ（すなわちピコネットとのインタラクション）の通信とが互いに独立に実行可能な非常に異なる処理手順となるようにブルートゥースプロトコルは書き込まれる。これによって、アクセス・ポイントの範囲内での専用ブルートゥース送受信装置モジュールと、媒体アクセス制御タイプの活動の別個のモジュールと、ユーザデータ・トランスポート用の別個のモジュールとの使用が可能となる。もしアクセス・ポイントとの接続を試みるユーザ端末装置の数が突然ピークに達した場合、各送受信装置モジュールの機能が固定されたものであればオーバーフローが生じる可能性がある。
【００２８】
したがって、上述の別の実施形態によれば、アクセス・ポイントにおける各送受信装置モジュールの機能の動的制御が可能となる。
本発明の１実施例において、このシステムは、
第２の送受信機とユーザ端末装置との間でユーザデータを通信する前に、第１の送受信機とユーザ端末装置との間の接続を切断する手段を備えている。
本発明の１実施例において、このシステムは、
ユーザ端末装置がアクセス・ポイントのカバー領域に入ったことを検出し、ユーザ端末装置がカバー領域に入ったことを検出したことに応答してアクセス通信を開始する手段を備えている。
本発明の１実施例において、このシステムはさらに、
アクセス・ポイントに機能的に接続されているコンテンツプロバイダと、
第２の送受信機を用いてユーザ端末装置にアクセス・ポイントを介してコンテンツプロバイダのコンテンツを転送する手段とを備えている。    繞繞繞
本発明の１実施例において、システムの第１及び第２の送受信機は異なるベースバンドアドレスを有している。
本発明によるシステムの１実施例においては、接続に確立に関係する情報は、ユーザ端末装置のベースバンドアドレスと、アクセス・ポイントとユーザ端末装置との間のクロックにおけるオフセットを通知するクロックオフセット情報と、その上にサービスがユーザ端末装置によりサポートされている情報とを備えている。
本発明の１実施例においては、このシステムはブルートゥース標準に従う短距離範囲ＲＦ通信手段を備えている。
本発明によるシステムの１実施例においては、ユーザ端末装置はセルラ電話ネットワーク上でも通信可能な移動電話機、パーソナル・ディジタル・アシスタント。ゲームパッド、ブラウザ及びコンピュータの一つである。
本発明によるシステムの１実施例においては、第１及び第２の送受信機は、複数のユーザ端末装置とアクセス通信及びユーザデータ通信を実行するように適合されており、アクセス・ポイントはさらに、
アクセス・ポイントにおけるアクセス通信及びユーザデータ通信の負荷を検出する手段と、
それぞれの通信の検出された負荷に応じてアクセス通信とユーザデータ通信の一つを実行するための第１及び第２の送受信機を動的に制御する手段とを備えている。
本発明によるシステムの１実施例においては、アクセス・ポイントは、
２つより多い送受信機と、
アクセス・ポイント内でそれぞれの通信の検出された負荷に応じてアクセス通信を行う送受信機の数とユーザデータ通信を行う送受信機の数を動的に制御する手段と
を備えている。
本発明によるシステムの１実施例においては、送受信機の各々は複数チャネルにわたって通信をするように適合されており、アクセス・ポイントは、
アクセス・ポイントと通信中のユーザ端末装置の数の増大を検出する手段と、
上記増大の検出に応答して、ユーザデータ通信に使用されるチャネル数を増大させアクセス通信に使用されるチャネル数を減少させる手段とを備えている。
本発明によるシステムの１実施例においては、各送受信機は、他のブルートゥース化が可能な装置との通信のためのブルートゥースのための少なくとも１つのブルートゥースチップを備えている。
【００２９】
本発明の他の目的と特徴とは、添付図面と関連して考察する以下の詳細な説明から明らかになる。しかし、これらの図面は、単に例示を目的として設計されたものであり、本発明に対する限定を定義するために設計されたものではないことを理解されたい。本発明に対する限定の定義については添付の請求項を参照されたい。これらの図面は必ずしもスケールに合わせて描かれたものでないこと、また、別様に指示されない限り、これらの図面は単に本明細書に記載の構造と処理手順とを概念的に示すことを意図するものにすぎないことを理解されたい。
【００３０】
目下の好ましい実施例の詳細な説明
図１は本発明の環境を示す概略図である。図１の記載は、多数のブルートゥース互換デバイス１０（ブルートゥース・アクセス・ポイントが設けられたショッピングセンタを訪問するクライアントなど）が、固定デバイスのブルートゥースのカバーエリアゾーンすなわち種々のサービスへのアクセス・ポイント２０を出入りする環境に関するものである。図１は、端末装置１０とアクセス・ポイント２０間の無線通信システムを開示している。アクセス・ポイント２０は、端末装置１０へ転送可能な情報を含むものであってもよい。あるいは、アクセス・ポイント２０は、端末装置へ転送可能な情報を持つコンピュータ３０との接続も可能である。さらにコンピュータ３０はインターネット４０との接続も可能である。インターネット４０は、様々なユーザ端末装置によりアクセス可能な、また、サービスプロバイダやコンテンツ・プロバイダによってもアクセス可能なコンピュータ・ネットワークを表す。例えば出版社５０のようなサービスプロバイダがインターネット４０と接続されている。
【００３１】
図２に図示のように、本発明の１つの実施形態によれば、アクセス・ポイント２０には少なくとも第１の送受信装置モジュール１０４と第２の送受信装置モジュール１０６とが含まれる。第１の通信リンク１１８（図５を参照）はユーザ端末装置１０と、アクセス・ポイント２０の第１の送受信装置モジュール１０４との間で確立される。第１の送受信装置モジュール１０４と第２の送受信装置モジュール１０６との間に通信バス１２０が存在し、この通信バス１２０は、ユーザ端末装置１０と、アクセス・ポイント２０の第１の送受信装置モジュール１０４との間の通信から得られる情報を転送するためのバスである。第２の送受信装置モジュール１０６とユーザ端末装置１０との間の通信リンクとは、それぞれ、第１の送受信装置モジュール１０４から受信した情報に基づいて確立される。送受信装置モジュールの数は専用サイトの必要に応じて、すなわち、例えばどれだけの数のユーザ端末装置をサポートするようにアクセス・ポイントを設計するかに基づいて異なるものとなる場合があることを理解されたい。
【００３２】
ブルートゥース仕様に基づいて、物理無線リンクは７９の異なる周波数（１ＭＨｚのステップで２４００〜２４８３.５ＭＨｚ）で機能することができる。この伝送は時分割ベース、すなわち長さ６２５μｓのタイムスロットの伝送である。図３ａは、タイムスロットで伝送されるブルートゥース・パケットのフレーム構造を示し、この構造により、アクセスコード・フィールドＡＣ、ヘッダ・フィールドＨ及びペイロード・フィールドＰＬがまず生じる。アクセスコードＡＣとヘッダＨフィールドとの内容についてはブルートゥース仕様に詳細な記載がある。ペイロード・フィールドには符号化部分と本体部分とが含まれ、問合せ用として使用する場合、本体部分には問合せ（ブルートゥース仕様でさらに厳密に定義されている）に必要な各種データが含まれ、ユーザデータの伝送に使用する場合、本体部分にはユーザデータが含まれる。
【００３３】
本発明では、好ましくは、第２の送受信装置モジュール１０６からの伝送用周波数よりも、第１の送受信装置モジュール１０４からの伝送用の各種周波数を使用することが望ましい。したがって、本発明によれば、ユーザ端末装置１０とアクセス・ポイント２０との間での接続の確立に関係する情報を通信するために第１の送受信装置モジュール１０４を使用するとき、アクセス・ポイント２０はユーザデータを通信するその容量の増加が可能となり、主としてユーザデータの通信用として使用される。１つの実施形態では、第２の送受信装置モジュール１０６がユーザデータの通信用としてのみ使用される。それによって、多数のユーザ端末装置１０がアクセス・ポイント２０のカバーエリアを出入りするとき、第１の送受信装置モジュール１０４が問合せを処理し、第２の送受信装置モジュール１０６がユーザデータの伝送処理を行う。これにより、アクセス・ポイントが処理可能なユーザデータの伝送容量が増加される。なぜなら、本発明によれば、第２の送受信装置モジュール１０６が、異なるユーザ端末装置とのユーザデータの通信処理を行っている間、第１の送受信装置モジュール１０４が、様々なユーザ端末装置１０からの問合せを同時に処理できるため、問合せ時にユーザデータ伝送の帯域幅が消費されないからである。これが図３ｂに示されており、アクセス・ポイント２０が、タイムスロット０で第１のユーザ端末装置１０1と第１の周波数Ｆ１で問合せの通信を行い、タイムスロット１で第２のユーザ端末装置１０2と周波数Ｆ１で問合せの通信を行う。タイムスロット０で第３のユーザ端末装置１０3と第２の周波数Ｆ２でユーザデータを通信し、さらに、タイムスロット１で第１のユーザ端末装置１０1と周波数Ｆ２でユーザデータを通信する。ユーザ端末装置１０1、１０2、１０3はただ１つの短距離用送受信装置しか持たないため、問合せとユーザデータの伝送の同時処理を行うことはできない。したがって、アクセス・ポイント２０によって、アクセス通信（問合せ）と、２つの異なるユーザ端末装置のユーザデータ（同一のユーザ端末装置のユーザデータではない）の伝送との同時処理が行われる。第２のユーザ端末装置１０2では、タイムスロット０での周波数Ｆ１からタイムスロット１での周波数Ｆ２への切り替え時に周波数ホッピングが利用される。
【００３４】
図４は、（ユーザ端末装置のような）第２の端末装置を用いて無線で通信可能な（アクセス・ポイント２０のような）第１の端末装置から信号を伝送する方法を示すフローチャートを開示する。第１のステップ３００では、少なくとも第１の送受信装置モジュール１０４と少なくとも第２の送受信装置モジュール１０６とを備えるアクセス・ポイント２０により、ユーザ端末装置１０と、アクセス・ポイント２０の第１の送受信装置モジュール１０４との間で第１の通信リンク１１８が確立される。ステップ３０２で情報は、第１の送受信装置モジュール１０４と第２の送受信装置モジュール１０６との間で通信バス１２０を介して、アクセス・ポイントのユーザ端末装置１０と第１の送受信装置モジュール１０４との間で第１の通信で転送される。ステップ３０４で （アクセス・ポイント２０の）第２の送受信装置モジュール１０６と、第１の送受信装置モジュール１０４から受信した情報により識別されるユーザ端末装置１０との間でそれぞれ第２の通信リンク１２２が確立される。
【００３５】
本発明によれば、第１及び第２の送受信装置モジュール１０４と１０６とは、双方とも、１つの実施形態では一定の予め定められたそれ自身の機能を持ち、第１及び第２のモジュールは異なる機能を持つ。第１の送受信装置モジュール１０４は問合せを行い、ユーザ端末装置１０から受信した情報を第２の送受信装置モジュール１０６へ転送し、それによってその第２の送受信装置モジュール１０６を介するアクセス・ポイント２０がユーザ端末装置１０とコンタクトできるようにして、ユーザ端末装置１０へのデータ転送を意図する。上記方法によって、アクセス通信がユーザデータ通信の帯域幅を消費しないため、ノード間のデータ転送効率を高めることが可能となる（なぜならアクセス通信が別個の送受信装置モジュールにより処理されるからである）。
【００３６】
しかし、別の実施形態では、各送受信装置モジュール１０４、１０６の機能が動的に制御され、これにより、専用送受信装置モジュールの機能をアクセス通信からユーザデータ通信へ切り替えることが可能となり、その逆もまた同様である。
【００３７】
図２に戻ると、この図は、専用化された役割を持つ２つの別個のブルートゥース・モジュール１０４、１０６を単一デバイスに組み込む方法の原理を示す。問合せ、サービス発見プロトコル（ＳＤＰ）及びリンクマネージャ・プロトコル（ＬＭＰ）が、ブルートゥース・モジュール（１）１０４（第１の送受信装置モジュール）と、ＲＦＣＯＭ（ブルートゥース仕様に解説がある）で処理され、トラフィックに関する別のユーザデータはブルートゥース・モジュール（２）１０６（第２の送受信装置モジュール）で処理される。図２で、ブルートゥース・モジュール（１）１０４とブルートゥース・モジュール（２）１０６の各々には３個の別個の半導体チップ１３０が含まれるが、チップの数は必要に応じて１から任意の数までのいずれの数であってもよい。１つのチップ１３０は７個の別のチップとの同時通信が可能である。各チップ１３０には、ブルートゥースチップの実施構成に関わる当業者には周知のように、ドライバ部１３２と、モジュール部１３４と、ＲＦ部１３６とが含まれる。本発明によれば、２つの処理上別個のブルートゥース・モジュール１０４と１０６（ブルートゥース・モジュール（１）１０４とブルートゥース・モジュール（２）１０６）とが存在する。モジュール１０４と１０６とは別個のベースバンド・アドレスを有し、このアドレスにより、モジュール１０４と１０６の独立の動作が可能となり、必要な通信が一緒に実行される。また、必ずしも必要ではないが、モジュール（１）１０４が外部装置により発見可能で、かつ、別のブルートゥース互換デバイス２０と接続可能となるようにするか、あるいは、モジュール（２）１０６を発見不能にし、問合せ並びに別のリンク情報とサービス品質情報とが第２の送受信装置モジュール１０６を用いて着信不能となるように、別のブルートゥース互換デバイス２０と接続不能となるようにする機能を実現することも可能である。モジュール間にデータバス１２０が存在し、このバスにより２つのモジュール１０４と１０６間でのデータ転送が可能となる。
【００３８】
図５は、２モジュールを備えたブルートゥース・デバイスシステムの動作方法に関する１つの実施形態を示す。（２つの別個のブルートゥース・モジュールを持つ）固定デバイス２０はイニシアチブをとって定期的に問合せを行い、周辺のブルートゥース端末装置１０を発見する。処理の第１段の間、ブルートゥース・モジュール（１）１０４と別のブルートゥース互換ユーザ端末装置１０とは、第１のブルートゥース接続を形成し、それによってピコネットを形成する。ピコネットの形成時に以下のステップが存在する。ブルートゥースから第１にわかるように、接続を確立するために問合せ１５０が実行され、問合せが成功して完了した後、ページング１５２が起動される。ページング後、ＳＤＰチャネルが開かれ（１５４）、ＳＤＰ（サービス発見プロトコル）セッションが開始可能となる（１５６）。別のブルートゥース互換デバイス１０の全ての必要な情報がブルートゥース・モジュール（１）１０４に収集され、この情報には別のブルートゥースデバイスのベースバンド・アドレス、クロック・オフセット情報、上記別のブルートゥースデバイスのブルートゥースクラス及びデバイス１０のサポートされているサービス情報などが含まれるが、これらの情報に限定されるものではない。上記情報の収集後、この情報は、モジュール１０４と１０６との間でデータバス１２０を介して、ブルートゥース・モジュール（１）１０４からブルートゥース・モジュール（２）１０６へ転送可能である。ブルートゥース・モジュール（２）１０６は受信情報の確認を返送し、その後、ブルートゥース・モジュール（１）１０４は、固定デバイス２０と別のブルートゥース互換デバイス１０との間でセッションを終了させるＬＭＰ（リンク管理プロトコル）デタッチ１５８を送信し、次いで、ブルートゥース・モジュール（１）１０４が受信した情報（信号１５９）をブルートゥース・モジュール（２）１０６へ送信する。その後、ブルートゥース・モジュール（２）１０６は指定されたブルートゥース互換デバイス１０のページング１６０を開始して、デバイス１０と固定デバイス自体２０との間でピコネットを形成することができる。ページングの完了後、新しい非ＳＤＰ性チャネルが開かれる（１６２）。ブルートゥース・プロトコルアーキテクチャで利用可能なチャネルが示されるが、このチャネルについてはブルートゥース仕様でさらに完全に知ることが可能である。
【００３９】
図６はキオスク・デバイス（Kiosk device）の実施形態を開示する図であり、該デバイスは本発明のアクセス・ポイント２０を表し、電子コンテンツの販売用として利用される。上記アクセス・ポイントは、２つの独立した短距離用送受信装置モジュール１０４、１０６、ＣＰＵ１０２、ＲＡＭメモリ１１０及びＲＯＭメモリ１１２から構成される。（提供（販売）用）サービス関連電子コンテンツを保存するためのコンテンツ・データベース１０８はキオスク・デバイスの組み込み部分である。また、インターネットのような別のネットワークとの、当業者に周知の接続１１６を設けてもよい。上記短距離用通信は、短距離用アンテナ１１４を介して短距離用送受信装置モジュール１０４と１０６とにより確立される。
【００４０】
ＣＰＵ１０２はアクセス・ポイントの機能を制御し、この機能には、第１の送受信装置１０４と第２の送受信装置１０６とがそれぞれどのような機能を実行するか、すなわち（接続を確立するための）アクセス通信機能か、（確立された接続を介する）ユーザデータ通信機能かのいずれかの機能の動的制御が含まれる。この動的制御は或るアルゴリズムにより実現可能であり、このアルゴリズムに基づいて２つの機能間のアクセス・ポイントの機能の切り替えが行われる。動的制御を実行する１つの方法としてファジー論理を用いる方法もある。このファジー論理は状況を知的にモニターし、通信が輻輳状態になり始めた場合、例えばアクセス通信を減らしたり、ユーザデータ通信を増やしたりするような処理を行う。
【００４１】
図８ａと図８ｂとは、店への出入りを制御する処理との類似による上記動的制御方法の原理を示す図である。図８ａでは、アクセスは限定されていない（全てのゲートが使用されている）。そして顧客はカウンタＣ１〜Ｃ３のうちの１つへ進むことにより即座にサービスを受ける。これに対応して、アクセス・ポイントにおいて、アクセス通信とユーザデータ通信用の一定数の使用中チャネルが生じたとき、アクセス・ポイント内の移動端末装置の数が、すべてのアクセス関連通信とユーザデータ通信とをスムーズに処理できるようになっているかぎり、上記チャネル数を安定状態に保つことが可能となる。図８ｂでは、入ろうとしているユーザ、及び、すでにショップの中に入っているユーザの数は増加している。それ以上十分高速に処理できないカウンタのところで顧客の流れは止まりかけている。この状況を改善するために、さらに多くのカウンタＣ１〜Ｃ５が起動され（すなわちカウンタＣ４とＣ５が開かれ）、一方、ゲートＧ１〜Ｇ３は閉じられる（すなわちゲートＧ２は閉じられる）。入ることができる顧客は少なくなり、すでに入っている顧客の処理がスピードアップされる。したがって、すでに店内にいる顧客あるいは入ろうとしている顧客の数の増加に対処するために、店への出入りが制限され、顧客の処理がスピードアップされる（さらに多くのカウンタが開かれる）。これ対応して、アクセス通信用アクセス・ポイントで使用中のチャネル数を減らすことが可能となり、アクセス・ポイントにおけるカバーエリア内のユーザ端末装置の数が非常に多くなったために、本発明を採用しなかった場合にアクセス・ポイントがすべてのユーザデータ通信をそれ以上スムーズに処理できなくなった場合、アクセス・ポイント内のユーザデータ通信用として使用中のチャネルの数を増やすことができる。このようにして、アクセス関連通信からユーザデータ通信へアクセス・ポイントの送受信装置の機能全体を変えることにより、チャネル数の変更を行うことが可能となる。様々な機能に利用されるアクセス・ポイントが使用チャネルの数を変えることにより、チャネル数の変更を行うことも可能である。すなわちチャネルを減らすことにより、特別の送受信装置が、アクセス関連通信用として、ユーザデータ通信用の相当する当該送受信装置用チャネル数を利用することが可能となる。
【００４２】
別例として、図９ａには、システムへのアクセスが高速になり、ダウンロード時間が良好なものになるように、６つの送受信装置モジュールの中からユーザデータ・モジュールＵＤとして３つのモジュールを割り当て、メディアアクセス・モジュールＭＡＳとしてその他の３個の送受信装置モジュールを割り当てる通常の負荷構成が示されている。メディアアクセス・モジュールＭＡＳは、問合せとＳＤＰクエリとを実行し、ユーザデータ・モジュールＵＤへの情報の転送によりシステムへのアクセス制御を行う。ユーザデータ・モジュールＵＤは、問合せ、ページング及びＳＤＰ問合せがＭＡＳモジュールにより実行された後ユーザデータ転送専用モジュールとなる。図９ｂは大きな負荷構成を示し、この構成では、図９ａよりも少ない数のモジュール（６個の中から１個のみ）をＭＡＳモジュールとして使用して、システムにアクセスする新しいデバイス数の減少を意図する。図９ａの場合より多くのモジュール（５個のモジュール）がＵＤモジュールとして使用され、すでにシステムの中に入っているデバイスに図９ａの場合より良いサービスが提供される。
【００４３】
図１０はファジー論理コントローラ用入力パラメータのモデル化を可能とする方法を示す。ブルートゥース・アクセス・ポイントの振舞いを正確にモデル化するために、アクセス・ポイントと接続されているデバイスの数が変化する速度や受信品質などのパラメータについて考慮することが望ましい。ファジー論理を利用して、このタイプの制御のモデル化を意図することができる。このファジー論理は、ＤＳＰまたは（図６に図示の）ＣＰＵ１０２のようなプロセッサのプログラミングを行ってコンピュータ・プログラムの機能を実行することにより実行可能である。この機能は図１０に例示の機能ブロック図により実行可能である。速度推定ブロックＳＥは、アクセス・ポイントにおける（すなわちユーザ端末装置と通信中の）ユーザデータの転送速度（ｋｂｐｓ）をモニターしている。問合せ推定ブロックＩＥは、アクセス・ポイント内での分毎の問合せ応答数をモニターしている。上記双方の数値は、ファジー制御ブロックＦＣの中へ転送され、該ブロックにより計算ブロックＣＡＬに基づいて計算が実行される。上記計算ブロックＣＡＬにより、ユーザデータ通信と媒体アクセス通信間の必要な関係式または最適の関係式が計算される。この情報は、送受信装置の処理を制御する役割制御ブロックＲＣへ適宜転送される（すなわちＣＰＵ１０２により制御が行われる）。
【００４４】
アクセス・ポイントと無線ユーザ端末装置間のインタラクションのロギングと分析用としてＳＥとＩＥブロックからの情報を利用することができる。特に、媒体アクセス通信のモニターにより、アクセス・ポイント内での群集（crowd）と人間の往来パターンの計算が可能であり、或る地域エリアにおけるすべてのアクセス・ポイント内で同じことを行うことにより、当該特定地域エリアについて群集と人間の往来パターンの計算が可能となる。上記計算によって、地域エリアでの目障りな干渉を伴うことなく群集と往来パターンのリアルタイムでの検討及び分析が可能となる。これにより、あまりに多くの人々が特定地域エリア内にいるとき別の自動化システムのオペレータに対してキュー及び障害について警告を与えることが可能となる。上記モニターされた情報は、現時点でのゾーン母集団と関連するものであってもよい。あるいはそのゾーンの履歴統計を総計し後程この履歴統計を分析するようにしてもよい。分析データに適用されるルールに基づいて、警報、物理的警報などの第３者のシステムへ有用なイベントの発生を伝えるようにしてもよい。したがって、図１０の制御は、この種の統計情報を作成するためにＣＰＵ１０２で利用することも可能となる。単一のアクセス・ポイントの場合、ファジー制御ブロックＦＣ内または計算ブロックＣＡＬ内で統計情報の作成が可能となる。しかし、いくつかのアクセス・ポイントからなる地域エリアの場合、統計情報全体を計算する中央コンピュータで様々なアクセス・ポイントからの情報が収集される（例えば図１のコンピュータ３０または５０で情報収集を行うことにより、サービスプロバイダ５０はサービスとして統計情報を提供することが可能となる）。
【００４５】
図１０の処理を見て、Ｍが媒体アクセス制御モードにおけるモジュール数であり、Ｍ−ｍはユーザデータ・トランスポート専用のモジュール数であると仮定する。ｍ個のモジュールにより、ブルートゥースの問合せと、ページングと、ＳＤＰ問合せとが定期的に実行され、一方、Ｍ−ｍ個の残りのモジュールにより、アクセス・ポイントと接続された種々のデバイスへコンテンツがアップロードされる。パラメータｍは調整可能であり、１とＭ−１との間の値をとる。ファジー制御ブロックへの入力パラメータは、ブロックＩＥから得られる（媒体アクセス専用モジュールにより発見された新しいデバイスの数と直接リンクされた）ブロックＳＥ、及び、負荷から得られるパフォーマンス（コンテンツのダウンロードを行うデバイス用として利用可能な平均スループットに直接関連する）である。パフォーマンスと負荷とがファジーコントローラ・ブロックＦＣで対応づけられ、計算ブロックＣＡＬで計算される。出力がファジーマッピングを用いてモデル化される。１組のファジー規則より上記コントローラは支配される。モジュール役割コントローラＲＣにより計算ＣＡＬの出力値が直接利用され、該コントローラにより２つの可能な役割（媒体アクセス制御またはユーザデータ・トランスポート）のうちの一方に対する各モジュールの割当てが調整される。
【００４６】
アクセス・ポイントの送受信装置の機能の動的制御は、上述のファジー制御論理回路以外の別のスマートアルゴリズムによっても実行可能である。この動的制御によりアクセス・ポイントの容量が最適化され、アクセス・ポイントにアクセスする無線装置の突然の増加に起因するオーバーフローの防止に役立つ。
【００４７】
図７はアクセス・ポイントとの通信能力を持つ無線端末装置１０の１つの実施形態を示す。この端末装置は、アンテナ２１６を備えた（ブルートゥース送受信装置のような）短距離用送受信装置２０４と、ＣＰＵユニット２０６と、ＲＡＭメモリ２１２と、ＲＯＭメモリ２１０と、入／出力用ユニット２１４と、コンテンツ閲覧用ディスプレイ２０２とを有する。端末装置に、スマート・カードの情報読出し用カードリーダー２０８を設ける場合もある。
【００４８】
以上、本発明の好ましい実施形態に適用された本発明の基本的な新規の特徴について、図示と、説明と、指摘とを行ったが、例示のデバイスの形態と詳細における様々な省略と、脱落と、代替と、置換と、変更とは、本発明の範囲から逸脱することなく、これらデバイスの動作時に当業者により実行可能であることを理解されたい。例えば、実質的に同一の方法で実質的に同一の機能を実行し、同一の効果が達成されるエレメントおよび／または方法ステップの当該すべての組み合わせは、本発明の範囲に属することが明白に意図されている。例えば、たとえ図６と図７のアンテナ１１４、２１６がデバイス１０と２０の中から突き出ているものとして描かれていても、実際には、ブルートゥース送受信装置のアンテナは、好ましくはデバイス１０、２０の筐体内の内部アンテナであることが望ましい。さらに、任意の開示された形態または実施形態と関連して図示および／または説明した構造および／またはエレメントおよび／または方法ステップが、形態または実施形態として一般的設計上の選択の問題として一体化が可能であることを理解することが望ましい。
【図面の簡単な説明】
【図１】
本発明の１つの実施形態の概略図である。
【図２】
本発明の１つの実施形態に基づき単一デバイスで専用化された役割を持つ２つの別個のブルートゥース・モジュールを示す。
【図３ａ】
ブルートゥース・データパケットの構造を示す。
【図３ｂ】
本発明に基づく伝送の分離を示す。
【図４】
本発明の方法の実施形態を描く。
【図５】
処理手順とブルートゥース互換ユーザ端末装置とを開始する、該端末装置内に組み込まれた２つの別個のブルートゥース・モジュールを持つブルートゥース・アクセス・ポイント間での処理フローを示すチャートである。
【図６】
２つのブルートゥース送受信装置モジュールが中に組み込まれたアクセス・ポイントの構造を示す本発明の実施形態を示す。
【図７】
本発明に基づく無線ユーザ端末装置の実施形態を示す。
【図８ａ】
送受信装置の機能の動的制御原理を示す。
【図８ｂ】
送受信装置の機能の動的制御原理を示す。
【図９ａ】
アクセス・ポイントにおけるユーザデータ・モジュールと媒体アクセスモジュールとの分割による動的制御を示す。
【図９ｂ】
アクセス・ポイントにおけるユーザデータ・モジュールと媒体アクセスモジュールとの分割による動的制御を示す。
【図１０】
ファジー論理の利用による本発明に基づく動的制御の実施構成の機能ブロック図を示す。